(57)【要約】【課題】デザイン性を向上できる記録装置を提供する。【解決手段】記録装置１１は、液体を用いて媒体に記録する記録部と、記録部に供給される液体を収容可能であって且つ収容する液体を視認するための視認面６５を有する液体収容部６０と、視認面を介して液体を視認可能な第１状態と、第１状態よりも液体の視認性が低い第２状態とに装置の状態を切替可能な切替機構と、を備える。【選択図】図４
2019005963.tif 000002
【特許請求の範囲】
【請求項１】
液体を用いて媒体に記録する記録部と、
前記記録部に供給される前記液体を収容可能であって且つ収容する前記液体を視認するための視認面を有する液体収容部と、
前記視認面を介して前記液体を視認可能な第１状態と、前記第１状態よりも前記液体の視認性が低い第２状態とに装置の状態を切替可能な切替機構と、を備えることを特徴とする記録装置。
【請求項２】
装置本体の電源がオフである場合に、前記切替機構により前記第２状態となるように構成されていることを特徴とする請求項１に記載の記録装置。
【請求項３】
前記液体収容部が収容する前記液体の量が予め設定された設定量よりも低い場合に、前記切替機構により前記第１状態となるように構成されていることを特徴とする請求項１又は請求項２に記載の記録装置。
【請求項４】
装置本体が記録動作を実行する場合に、前記切替機構により前記第１状態となるように構成されていることを特徴とする請求項１乃至請求項３のうち何れか一項に記載の記録装置。
【請求項５】
前記切替機構を操作可能な操作部を備えることを特徴とする請求項１乃至請求項４のうち何れか一項に記載の記録装置。
【請求項６】
前記切替機構は、前記視認面を覆う位置と露出させる位置との間で変位可能なカバーを備えることを特徴とする請求項１乃至請求項５のうち何れか一項に記載の記録装置。
【請求項７】
前記切替機構は、前記液体収容部に光を照射可能な光源を備えることを特徴とする請求項１乃至請求項６のうち何れか一項に記載の記録装置。
【発明の詳細な説明】
【技術分野】
【０００１】
本発明は、例えばインクジェット式プリンターなどの記録装置に関する。
【背景技術】
【０００２】
液体収容体から供給された液体を媒体に向けて吐出することによって媒体に記録する記録装置がある。こうした記録装置の一例として、特許文献１には、液体収容体に収容されている液体の残量を視認可能な液体消費装置が記載されている。
【先行技術文献】
【特許文献】
【０００３】
【特許文献１】特開２０１６−５０５号公報
【発明の概要】
【発明が解決しようとする課題】
【０００４】
近年、こうした記録装置においては、リビングなどに据え置かれることもあるため、機能性だけでなく、デザイン性が求められている。
本発明の目的は、デザイン性を向上できる記録装置を提供することにある。
【課題を解決するための手段】
【０００５】
以下、上記課題を解決するための手段及びその作用効果について記載する。
上記課題を解決する記録装置は、液体を用いて媒体に記録する記録部と、前記記録部に供給される前記液体を収容可能であって且つ収容する前記液体を視認するための視認面を有する液体収容部と、前記視認面を介して前記液体を視認可能な第１状態と、前記第１状態よりも前記液体の視認性が低い第２状態とに装置の状態を切替可能な切替機構と、を備える。
【０００６】
例えば、記録装置を使用する場合に第１状態となり、記録装置を使用しない場合に第２状態となるように、記録装置の状態が切り替わるとする。この場合、記録装置を使用するときには第１状態となって液体収容部が収容する液体の残量を視認でき、記録装置を使用しないときには第２状態となって液体収容部が収容する液体の残量を視認し難くできる。すなわち、記録装置を使用しないときなど、ユーザーにとって液体の残量を確認する必要がない場合においては、液体の残量を見えないようにすることができる。この構成によれば、液体収容部が収容する液体をユーザーに視認させるという視認面の機能を、ユーザーにとって必要となる場面においてのみ発揮させることができる。したがって、記録装置のデザイン性を向上できる。
【０００７】
上記記録装置においては、装置本体の電源がオフである場合に、前記切替機構により前記第２状態となるように構成されていることが好ましい。
この構成によれば、記録装置の電源がオフである場合において液体収容部に収容される液体の残量を見えないようにできるため、デザイン性を向上できる。
【０００８】
上記記録装置においては、前記液体収容部が収容する前記液体の量が予め設定された設定量よりも低い場合に、前記切替機構により前記第１状態となるように構成されていることが好ましい。
【０００９】
この構成によれば、例えば、液体収容部に収容される液体の量が僅少となっている場合に、液体収容部に収容される液体の残量を視認できるように第１状態に切り替わるため、ユーザーに液体の補充を促すことができる。
【００１０】
上記記録装置においては、装置本体が記録動作を実行する場合に、前記切替機構により前記第１状態となるように構成されていることが好ましい。
この構成によれば、記録装置が記録動作を実行する場合において液体収容部に収容される液体の残量を視認可能となるため、デザイン性を向上できる。
【００１１】
上記記録装置においては、前記切替機構を操作可能な操作部を備えることが好ましい。
この構成によれば、ユーザーが操作部を操作することによって、液体収容部に収容される液体の残量をユーザーが所望のタイミングで視認することができる。
【００１２】
上記記録装置においては、前記切替機構は、前記視認面を覆う位置と露出させる位置との間で変位可能なカバーを備えることが好ましい。
この構成によれば、記録装置は、カバーが視認面を覆う位置に位置する場合に第１状態となり、カバーが視認面を露出させる位置に位置する場合に第２状態となる。すなわち、簡易な構成で記録装置を第１状態と第２状態とに切り替えることができる。
【００１３】
上記記録装置においては、前記切替機構は、前記液体収容部に光を照射可能な光源を備えることが好ましい。
この構成によれば、記録装置は、光源が光を照射する場合に第１状態となり、照射しない場合に第２状態となる。すなわち、簡易な構成で記録装置を第１状態と第２状態とに切り替えることができる。
【図面の簡単な説明】
【００１４】
【図１】第１実施形態の記録装置の斜視図。
【図２】ケースと液体収容部の斜視図。
【図３】液体収容部の斜視図。
【図４】第１状態における第２実施形態の記録装置の斜視図。
【図５】第２状態における第２実施形態の記録装置の斜視図。
【図６】第１状態における変更例の記録装置の斜視図。
【図７】第２状態における変更例の記録装置の斜視図。
【図８】第１状態における変更例の記録装置の斜視図。
【図９】第２状態における変更例の記録装置の斜視図。
【図１０】第１状態における変更例の記録装置の正面図。
【図１１】第２状態における変更例の記録装置の正面図。
【図１２】第１状態における変更例の記録装置の正面図。
【図１３】第２状態における変更例の記録装置の正面図。
【発明を実施するための形態】
【００１５】
（第１実施形態）
以下、記録装置の第１実施形態について図を参照して説明する。
図１に示すように、記録装置１１は、直方体状の筐体１２を備えている。記録装置１１は、原稿を読取可能な読取部２０と、記録装置１１を操作するための操作パネル３０と、記録装置１１に媒体をセット可能な媒体カセット４０とを備えている。記録装置１１は、文字、写真等の画像を媒体に記録する記録部５０と、液体を収容可能な液体収容部６０と、液体収容部６０を収容する収容部７０とを備えている。本実施形態において、操作パネル３０が配置されている側の面を記録装置１１の前面とし、その反対側の面を記録装置１１の背面とする。記録装置１１の前面及び背面は、記録装置１１の幅方向及び上下方向に広がりを有する面である。そのため、筐体１２は、記録装置１１の幅方向、上下方向及び奥行方向に広がりを有する。本実施形態においては、説明の便宜のために、図１において、幅方向の右側を第１端側とし、幅方向の左側と第２端側とする。
【００１６】
読取部２０は、筐体１２の上部に配置されている。読取部２０は、例えばスキャナーとして構成され、原稿をセットするための原稿台２１と、原稿カバー２２とを有している。原稿カバー２２は、記録装置１１の背面側となる端部を支点に、原稿台２１に対して開閉可能に構成されている。読取部２０は、原稿台２１と原稿カバー２２との間にセットされる原稿に記録されている文字、写真等の画像を読み取る。原稿台２１は、記録装置１１の背面側となる端部を支点に、筐体１２に対して開閉可能に構成されている。原稿台２１を含む読取部２０が開くと、筐体１２の内部が露出する。
【００１７】
操作パネル３０は、記録装置１１の前面側に配置されている。操作パネル３０は、記録装置１１の外装の一部を構成している。本実施形態の操作パネル３０は、記録装置１１を操作するための操作部の一例である。操作パネル３０は、電源ボタン３１と、表示部３２とを有している。電源ボタン３１は、操作パネル３０において、幅方向の第２端側寄りとなる位置に配置されている。電源ボタン３１は、装置本体の電源をオンとオフとに切り替えるためのボタンである。
【００１８】
表示部３２は、記録装置１１を操作するための各種情報が表示可能に構成されている。表示部３２は、幅方向において電源ボタン３１と隣り合うように配置されている。表示部３２は、操作パネル３０において幅方向の中央寄りとなる位置に、矩形状のモニターとして設けられている。本実施形態において、表示部３２は、タッチパネルとして構成されている。そのため、ユーザーは、表示部３２であるタッチパネルを介して記録装置１１を操作する。なお、操作パネル３０は、記録装置１１を操作するための操作ボタン等を有してもよい。操作パネル３０は、その上端を支点に、筐体１２に対して開閉可能に構成されている。操作パネル３０が開くと、筐体１２の内部から外部に向けて媒体を排出するための排出口が露出する。
【００１９】
媒体カセット４０は、筐体１２の下部に配置されている。媒体カセット４０は、筐体１２に対して挿抜可能に構成されている。媒体カセット４０は、筐体１２に対して挿抜する際に、ユーザーが手を掛けるための取っ手４１が形成された操作板４２を有している。操作板４２は、記録装置１１の外装の一部を構成している。すなわち、媒体カセット４０は、筐体１２の前面から挿抜可能とされる。操作板４２は、幅方向における長さが操作パネル３０と略同一となるように構成されている。媒体カセット４０は、例えば用紙などの媒体を積層状態で収容可能に構成されている。媒体カセット４０は、筐体１２に挿入されることによって、媒体を筐体１２の内部にセットする。
【００２０】
記録部５０は、筐体１２の内部に配置されている。記録部５０は、液体を用いて媒体に画像を記録可能に構成されている。記録部５０は、キャリッジ５１と、ヘッド５２とを備えている。キャリッジ５１は、筐体１２の内部において幅方向に移動可能とされている。ヘッド５２は、キャリッジ５１に搭載され、媒体に向けて例えばインクなどの液体を吐出可能とされている。すなわち、記録部５０は、液体を媒体に吐出することによって記録する。
【００２１】
記録部５０は、液体が供給されるためのチューブ５３を有している。チューブ５３は、記録部５０と液体収容部６０とに接続されている。チューブ５３を介することによって、液体収容部６０に収容される液体が記録部５０に供給される。
【００２２】
記録部５０は、筐体１２の内部を搬送される媒体に記録する。記録部５０は、例えば、媒体カセット４０から搬送される媒体に記録する。この場合、媒体カセット４０に収容されている媒体は、記録装置１１の背面側からその前面側に向けて、媒体カセット４０に収容されているときの状態からその姿勢が反転されるようにして搬送される。
【００２３】
本実施形態の記録装置１１は、その背面から媒体を供給可能に構成されている。この場合、記録装置１１の背面から供給された媒体は、筐体１２の内部においてその背面側から前面側に向けて搬送される。すなわち、本実施形態において、媒体が搬送される搬送方向は、記録装置１１の背面側から前面側に向かう方向である。媒体は、記録部５０によって記録された後、排出口から排出される。
【００２４】
収容部７０は、記録装置１１の前面側であって且つ幅方向において第１端側となる角に配置されている。収容部７０は、液体収容部６０を収容するためのケース７１と、蓋７２とを有している。ケース７１は、記録装置１１の外装の一部を構成している。ケース７１は、筐体１２の前面からせり出すように設けられている。すなわち、ケース７１の前面７３は、筐体１２の前面を構成する操作パネル３０、媒体カセット４０の操作板４２よりも前方に位置している。
【００２５】
ケース７１は、収容する液体収容部６０の一部を露出する露出孔７４を有している。露出孔７４は、ケース７１の前面７３に開口している。露出孔７４は、収容部７０が収容する液体収容部６０の数に対応して設けられている。露出孔７４は、ケース７１の前面７３において、その下部寄りの位置に幅方向に並んで複数設けられている。本実施形態のケース７１は、５つの露出孔７４を有している。すなわち、本実施形態の収容部７０は、５つの液体収容部６０を収容する。
【００２６】
蓋７２は、ケース７１の上部に配置されている。蓋７２は、ケース７１の前面７３側とは反対側となるその背面側を支点に、ケース７１に対して開閉可能に構成されている。蓋７２が開くと、ケース７１内の液体収容部６０が露出する。
【００２７】
収容部７０は、蓋７２の上方に読取部２０の一部が重なるように設けられている。そのため、蓋７２は、読取部２０が筐体１２に対して開いている状態、すなわち筐体１２の内部が露出されている状態において開くことが可能となる。そのため、収容部７０は、読取部２０が筐体１２に対して閉じている場合、蓋７２がケース７１に対して閉じた状態でロックされる。
【００２８】
次に、液体収容部６０について説明する。
図２及び図３に示すように、液体収容部６０は、幅方向に並んで複数設けられている。液体収容部６０は、それぞれ異なる種別の液体を収容する。本実施形態においては、液体収容部６０は、それぞれ異なる種類のインクを収容する。
【００２９】
５つの液体収容部６０のうち、幅方向において最も第２端側に位置する液体収容部６０は、他の４つの液体収容部６０と比較して幅方向における幅が大きく構成されている。すなわち、幅方向において最も第２端側に位置する液体収容部６０は、大容量の液体収容部６０とされている。本実施形態において、大容量の液体収容部６０は、ブラックの顔料インクを収容する。他の４つの液体収容部６０は、幅方向において第２端側から第１端側に向かって順に、シアン、マゼンタ、イエロー、ブラックの染料インクを収容する。
【００３０】
液体収容部６０は、半透明状若しくは透明状の樹脂を主として形成されている。液体収容部６０は、液体を補充可能に構成されている。液体収容部６０は、液体を貯留可能な貯留部６１と、貯留部６１に向けて液体を注入可能な注入部６２とを備えている。
【００３１】
貯留部６１は、記録装置１１の奥行方向に延びるように直方体状に設けられている。貯留部６１は、その内部の空間が液体を貯留するための貯留室６３として構成されている。貯留室６３には、上下方向に延びる複数のリブ６４が設けられている。リブ６４は、液体収容部６０から記録部５０に向けて液体を供給する際に、貯留室６３に貯留される液体を撹拌させるために設けられている。なお、図３においては、大容量の液体収容部６０における貯留室６３が露出しているが、この側面には不図示のシートが熱溶着されている。
【００３２】
液体収容部６０は、貯留部６１の一部がケース７１の露出孔７４から露出するように収容部７０に収容されている。露出孔７４から露出する貯留部６１の一部は、貯留部６１の前面を構成する前壁である。貯留部６１は、半透明状若しくは透明状の樹脂によって構成されているため、光を透過可能とされている。
【００３３】
露出孔７４から露出する貯留部６１の前面は、貯留部６１に貯留されている液体を視認するための視認面６５とされている。視認面６５には、貯留部６１に貯留されている液体の残量を示すための目盛６６が設けられている。そのため、液体収容部６０は、ケース７１の露出孔７４を通じて視認面６５が視認可能となるように収容部７０に収容される。ケース７１の露出孔７４は、ユーザーが液体収容部６０に収容される液体の残量を確認するための開口である。ユーザーは、露出孔７４を通じて視認面６５を視認することによって、液体収容部６０に収容されている液体の残量を確認する。
【００３４】
第１実施形態においては、貯留部６１の前壁を透明度の低い材料で構成したり、視認面６５にスモークフィルムを貼ったりするなどして、視認面６５を介した液体の視認性が低くなるように構成されている。第１実施形態における液体収容部６０は、記録装置１１が一般的に使用される環境下において、ユーザーが視認面６５を見た場合に液体収容部６０に収容されている液体を視認できない程度にその視認性が低くなるように構成されていることが好ましい。
【００３５】
注入部６２は、貯留部６１の上部に位置している。注入部６２は、貯留部６１の上壁から上方に延びるように設けられ、貯留部６１と一体的に構成されている。注入部６２は、貯留部６１の上壁において、視認面６５寄りとなる位置に設けられている。注入部６２は、その上部に注入口６７を有している。注入口６７は、上方に向かって延びる円筒状の部材である。注入部６２は、注入口６７を介して注入された液体を貯留部６１に導入するための流路をその内部に有している。収容部７０の蓋７２が開くと、収容部７０に収容される液体収容部６０の注入口６７が露出する。すなわち、収容部７０の蓋７２が開くことによって、液体収容部６０に液体を注入可能な状態となる。
【００３６】
図３に示すように、記録装置１１は、液体収容部６０に光を照射するための照射部８０を備えている。照射部８０は、基板８１と、基板８１に取り付けられる発光素子８２と、発光素子８２が発する光をガイドする導光部材８３とを有している。基板８１は、Ｌ字状に屈曲するように設けられ、幅方向に並ぶ複数の液体収容部６０に亘って貯留部６１の上方を延びるように構成されている。基板８１は、それぞれの液体収容部６０の貯留部６１の前面と、幅方向において第２端側に位置する大容量の液体収容部６０の貯留部６１の側面とに沿うように延びている。基板８１は、大容量の液体収容部６０の貯留部６１の側面に沿って延びる部分に、発光素子８２に電力を供給するための端子８４を有している。
【００３７】
発光素子８２は、液体収容部６０の数に対応して複数設けられている。発光素子８２は、それぞれ液体収容部６０の貯留部６１の上壁と対向する位置に配置されている。本実施形態の発光素子８２は、ＬＥＤで構成されている。発光素子８２は、電圧が印加されることによって発光する。本実施形態において、発光素子８２は、光を照射可能な光源の一例である。発光素子８２は、下方に向けて、すなわち液体収容部６０の貯留部６１に向けて光を照射可能な姿勢で基板８１に取り付けられている。
【００３８】
導光部材８３は、貯留部６１の上壁と発光素子８２との間に配置されている。導光部材８３は、幅方向に並ぶ複数の液体収容部６０に亘って貯留部６１の上壁と対向するように設けられている。導光部材８３は、発光素子８２が発する光を液体収容部６０の貯留部６１に向けてガイドする。
【００３９】
照射部８０は、貯留部６１の上壁越しに貯留室６３を照らすように光を照射する。発光素子８２の点灯及び消灯の切り替えは、操作部の一例である操作パネル３０を介してユーザーが任意に実行可能とされている。なお、照射部８０は、発光素子８２が発する光量を調整可能に構成されてもよい。
【００４０】
次に、上記のように構成された記録装置１１の第１実施形態における作用について説明する。
液体収容部６０は、収容部７０に収容されている。すなわち、液体収容部６０は、収容部７０のケース７１及び蓋７２に囲まれている。そのため、液体を貯留する貯留部６１は、その内部の空間である貯留室６３が暗い状態となっている。このとき、記録装置１１は、貯留室６３が暗いために、液体収容部６０に収容される液体の視認性が低い状態となっている。特に、第１実施形態においては、液体収容部６０は、視認面６５にスモークフィルムが貼られるなどして、視認面６５を介した液体の視認性が低くなるように構成されている。そのため、記録装置１１が一般的に使用される環境下において、ユーザーが露出孔７４を通じて視認面６５を見たとしても、液体収容部６０に収容される液体を視認し難くなっている。換言すると、記録装置１１は、視認面６５を介して視認される液体の残量の表示が目立たない状態にある。
【００４１】
一方、発光素子８２の点灯によって液体収容部６０に光が照射されると、貯留室６３が照らされる。このとき、記録装置１１は、貯留室６３が明るいために、液体収容部６０に収容される液体の視認性が高い状態となっている。すなわち、発光素子８２が点灯することによって、記録装置１１は、視認面６５を介して液体を視認可能な状態となる。特に、本実施形態においては、貯留部６１の上壁において奥行方向で手前側となる視認面６５寄りの位置から貯留室６３を照らすため、より液体を視認し易い状態となる。換言すると、記録装置１１は、発光素子８２が点灯している場合、視認面６５を介して視認される液体の残量の表示が目立つ状態にある。
【００４２】
第１実施形態において、記録装置１１は、装置本体の電源がオフである場合、発光素子８２が消灯するため、液体収容部６０に収容される液体を視認し難い状態となる。そのため、装置本体の電源がオフになっている状態など、液体の残量を確認する必要がない場合においては、発光素子８２が消灯することによって、視認面６５を介しても液体を見えないようにすることができる。一方、媒体に画像を記録するときなど、液体の残量を確認したい場合においては、操作パネル３０を介して発光素子８２を点灯させることによって、視認面６５を介して液体を視認可能とすることができる。
【００４３】
まとめると、第１実施形態において、記録装置１１は、発光素子８２が点灯することによって、視認面６５を介して液体を視認可能な第１状態となる。記録装置１１は、発光素子８２が消灯することによって、視認面６５を介した液体の視認性が第１状態よりも低い第２状態、すなわち液体を視認し難い状態となる。そのため、記録装置１１は、発光素子８２によって、視認面６５を介して液体を視認可能な第１状態と、第１状態よりも液体の視認性が低い第２状態とに切替可能とされている。すなわち、第１実施形態において、発光素子８２は、記録装置１１の状態を第１状態と第２状態とに切替可能な切替機構として機能する。換言すると、切替機構は、発光素子８２を備える。その時々に応じて記録装置１１を第１状態と第２状態とに切り替えることによって、液体収容部６０に収容される液体の残量を視認させるという視認面６５による記録装置１１の機能性を保ちつつ、記録装置１１のデザイン性が向上される。
【００４４】
上述した第１実施形態によれば、以下のような効果を得ることができる。
（１）例えば、記録装置１１を使用する場合に第１状態となり、記録装置１１を使用しない場合に第２状態となるように、記録装置１１の状態が切り替わるとする。この場合、記録装置１１を使用するときには第１状態となって液体収容部６０が収容する液体の残量を視認でき、記録装置１１を使用しないときには第２状態となって液体収容部６０が収容する液体の残量を視認し難くできる。すなわち、記録装置１１を使用しないときなど、ユーザーにとって液体の残量を確認する必要がない場合においては、液体の残量を見えないようにすることができる。この構成によれば、液体収容部６０が収容する液体をユーザーに視認させるという視認面６５の機能を、ユーザーにとって必要となる場面においてのみ発揮させることができる。したがって、記録装置１１のデザイン性を向上できる。
【００４５】
（２）記録装置１１は、電源がオフである場合に第２状態となるように構成されている。すなわち、記録装置１１の電源がオフである場合において液体収容部６０に収容される液体の残量を見えないようにできるため、そのデザイン性を向上できる。
【００４６】
（３）記録装置１１は、第１状態と第２状態とに切替可能な操作パネル（操作部）３０を備える。すなわち、ユーザーが操作パネル（操作部）３０を操作することによって、液体収容部６０に収容される液体の残量をユーザーが所望のタイミングで視認することができる。
【００４７】
（４）液体収容部６０に光を照射可能な発光素子（光源）８２を備える。そのため、記録装置１１は、発光素子（光源）８２が光を照射する場合に第１状態となり、照射しない場合に第２状態となる。すなわち、簡易な構成で記録装置１１を第１状態と第２状態とに切り替えることができる。
【００４８】
（第２実施形態）
次に、記録装置１１の第２実施形態について図を参照して説明する。なお、第２実施形態においては、主に第１実施形態と異なる点について説明する。
【００４９】
図４及び図５に示すように、第２実施形態における記録装置１１は、液体収容部６０を収容する収容部７０のケース７１に対して開閉可能な開閉板９１を備えている。なお、第２実施形態の記録装置１１は照射部８０を備えていないが、照射部８０を備える構成としてもよい。
【００５０】
開閉板９１は、ケース７１の前面７３に取り付けられている。開閉板９１は、ケース７１の前面７３を覆う位置と露出させる位置との間で開閉可能とされている。開閉板９１は、その下端となる端部を支点に回動することで開閉可能とされている。すなわち、開閉板９１は、ケース７１の前面７３に開口する露出孔７４を覆う位置と露出させる位置との間で開閉可能に構成されている。開閉板９１は、ユーザーが指を掛けて直接操作することによって開閉される。なお、開閉板９１は、操作パネル３０を介して電子的に開閉される構成でもよい。
【００５１】
図４に示すように、開閉板９１が開くと、ケース７１の露出孔７４が露出される。図５に示すように、開閉板９１が閉じると、ケース７１の露出孔７４が開閉板９１により覆われる。そのため、開閉板９１が開いている場合、記録装置１１は、視認面６５を視認可能な状態となる。開閉板９１が閉じている場合、記録装置１１は、視認面６５を視認できない状態となる。すなわち、開閉板９１は、視認面６５を覆う位置と露出させる位置との間で変位可能なカバーとして機能する。
【００５２】
第２実施形態の記録装置１１は、第１実施形態と異なり、発光素子８２により貯留室６３を照らさずとも、視認面６５を介して液体を視認可能となるように構成されている。例えば、第２実施形態の液体収容部６０は、視認面６５にスモークフィルムが貼られることなく構成される。
【００５３】
次に、上記のように構成された第２実施形態の記録装置１１の作用について説明する。
ユーザーが開閉板９１を開くと、液体収容部６０は、開閉板９１が視認面６５を露出させるため、視認面６５を視認可能な状態となる。すなわち、開閉板９１が開いている場合、記録装置１１は、視認面６５を介して液体を視認可能な状態となる。換言すると、記録装置１１は、開閉板９１が視認面６５を露出させることによって、液体収容部６０に収容される液体の視認性が高い第１状態となる。
【００５４】
ユーザーが開閉板９１を閉じると、液体収容部６０は、開閉板９１が視認面６５を覆うため、視認面６５を視認不可能な状態となる。すなわち、開閉板９１が閉じている場合、記録装置１１は、液体収容部６０に収容される液体を視認できない状態となる。換言すると、記録装置１１は、開閉板９１が視認面６５を覆うことによって、液体収容部６０に収容される液体の視認性が低い第２状態となる。
【００５５】
まとめると、第２実施形態において、記録装置１１は、開閉板９１が開くことによって、視認面６５を介して液体を視認可能な第１状態となる。記録装置１１は、開閉板９１が閉じることによって、第１状態よりも液体の視認性が低い第２状態、すなわち液体を視認し難い状態となる。そのため、記録装置１１は、カバーとして機能する開閉板９１によって、視認面６５を介して液体を視認可能な第１状態と、第１状態よりも液体の視認性が低い第２状態とに切替可能とされている。すなわち、第２実施形態において、開閉板９１は、記録装置１１の状態を第１状態と第２状態とに切替可能な切替機構として機能する。換言すると、切替機構は、カバーとして機能する開閉板９１を備える。第２実施形態においては、ユーザーが開閉板９１を任意に操作することによって、任意のタイミングで視認面６５を介して液体の残量を確認したり、視認面６５を隠したりできる。すなわち、記録装置１１を使用しない場合などにおいて、開閉板９１により視認面６５を隠すことができる。そのため、視認面６５に埃、塵などが付着することを抑制できる。また、記録装置１１のデザイン性が向上する。
【００５６】
上述した第２実施形態によれば、上述した第１実施形態における（１）の効果に加えて以下の効果を得ることができる。
（５）視認面６５を覆う位置と露出させる位置との間で変位可能な開閉板（カバー）９１を備える。そのため、記録装置１１は、開閉板（カバー）９１が視認面６５を覆う位置に位置する場合に第１状態となり、開閉板（カバー）９１が視認面６５を露出させる位置に位置する場合に第２状態となる。すなわち、簡易な構成で記録装置１１を第１状態と第２状態とに切り替えることができる。
【００５７】
（６）空気中を漂う埃、塵などが視認面６５に付着すると、視認面６５を介する液体のへの視認性を損なう虞がある。この点、第２実施形態における記録装置１１においては、切替機構として機能するカバーの一例である開閉板９１が視認面６５を覆うことによって、空気中を漂う埃、塵などが視認面６５に付着する虞を低減できる。すなわち、開閉板（カバー）９１によって、視認面６５を保護でき、視認面６５を介した液体の視認性を向上できる。
【００５８】
なお、上記各実施形態は以下のように変更してもよい。なお、以下の変更例は適宜組み合わせてもよい。
・図６及び図７に示すように、第２実施形態において、記録装置１１は、視認面６５を覆う位置と露出させる位置との間で変位可能なカバーの一例として、上下にスライド移動可能なスライド板９２を備えてもよい。スライド板９２は、ケース７１の前面７３に取り付けられている。スライド板９２は、ケース７１の前面７３に開口する露出孔７４を覆う位置と露出させる位置との間でスライド移動可能に構成されている。なお、スライド板９２は、ケース７１の前面７３から着脱可能に設けられていることが好ましい。
【００５９】
図６に示すように、スライド板９２が上方に位置している場合、ケース７１の露出孔７４が露出される。図７に示すように、スライド板９２が下方に位置している場合、ケース７１の露出孔７４がスライド板９２により覆われる。そのため、スライド板９２が上方に位置している場合、記録装置１１は、視認面６５を視認可能な状態となる。スライド板９２が下方に位置している場合、記録装置１１は、視認面６５を視認できない状態となる。すなわち、この変更例における記録装置１１は、カバーとして機能するスライド板９２によって、視認面６５を介して液体を視認可能な第１状態と、第１状態よりも液体の視認性が低い第２状態とに切替可能とされている。すなわち、スライド板９２は、記録装置１１の状態を第１状態と第２状態とに切替可能な切替機構として機能する。
【００６０】
・図８及び図９に示すように、第２実施形態において、記録装置１１は、視認面６５を覆う位置と露出させる位置との間で変位可能なカバーの一例として、巻き取り及び巻き出しが可能なロール式のシート９３を備えてもよい。シート９３は、円筒状に巻き重ねられたロール体Ｒとして収容部７０に収容されている。シート９３は、ケース７１の前面７３に設けられるスリット状の開口を介して、収容部７０の内部に位置するロール体Ｒから収容部７０の外部に巻き出されている。ロール体Ｒから巻き出されるシート９３は、ケース７１の前面７３に沿って下方に向けて垂れている。シート９３は、ロール体Ｒの巻き取り及び巻き出しによって、ケース７１の前面７３に開口する露出孔７４を覆う位置と露出させる位置との間で移動可能に構成されている。
【００６１】
図８に示すように、ロール体Ｒからのシート９３の巻き出し量が小さい場合、ケース７１の露出孔７４が露出される。図９に示すように、ロール体Ｒからのシート９３の巻き出し量が大きい場合、ケース７１の露出孔７４がシート９３により覆われる。そのため、ロール体Ｒからのシート９３の巻き出し量が小さい場合、記録装置１１は、視認面６５を視認可能な状態となる。ロール体Ｒからのシート９３の巻き出し量が大きい場合、記録装置１１は、視認面６５を視認できない状態となる。すなわち、この変更例における記録装置１１は、カバーとして機能するシート９３によって、視認面６５を介して液体を視認可能な第１状態と、第１状態よりも液体の視認性が低い第２状態とに切替可能とされている。すなわち、シート９３は、記録装置１１の状態を第１状態と第２状態とに切替可能な切替機構として機能する。
【００６２】
・図１０及び図１１に示すように、第２実施形態において、記録装置１１は、第１状態と第２状態とに切替可能な操作部の一例であるレバー９４を備えてもよい。レバー９４は、ケース７１の前面７３から露出するように設けられている。レバー９４は、カバーとして機能するスライド板９２と連動するように構成されている。ユーザーがレバー９４を上下に操作することによって、スライド板９２が上下に移動する。すなわち、操作部は、切替機構を操作可能とされているといえる。
【００６３】
・図１０及び図１１に示すように、第２実施形態において、記録装置１１は、視認面６５を覆う位置と露出させる位置との間で変位可能なカバーの一例として、上下に移動可能なスライド板９２を収容部７０の内部に備えてもよい。スライド板９２は、ケース７１の前面７３を構成する収容部７０の前壁と液体収容部６０の視認面６５との間に位置している。すなわち、スライド板９２が下方に位置する場合、露出孔７４が見える一方で視認面６５は見えない状態となる。
【００６４】
・図１２及び図１３に示すように、第２実施形態において、記録装置１１は、視認面６５を覆う位置と露出させる位置との間で変位可能なカバーの一例として、ブラインド９５を備えてもよい。ブラインド９５は、ケース７１の前面７３に設けられている。ブラインド９５は、幅方向に延びる細い板状のルーバー９６を複数有している。複数のルーバー９６は、ケース７１の前面７３において上下に並んでいる。ルーバー９６は、ケース７１の前面７３に設けられたレバー９４の操作に連動して、図１２に示す開き位置と図１３に示す閉じ位置との間で変位可能とされている。そのため、ブラインド９５は、ケース７１の前面７３に開口する露出孔７４を覆う位置と露出させる位置との間で変位可能に構成されている。
【００６５】
図１２に示すように、レバー９４が上方に位置する場合、すなわちルーバー９６が開き位置にある場合、ケース７１の露出孔７４が露出される。図１３に示すように、レバー９４が下方に位置する場合、すなわちルーバー９６が閉じ位置にある場合、ケース７１の露出孔７４がブラインド９５により覆われる。そのため、ルーバー９６が開き位置にある場合、記録装置１１は、視認面６５を視認可能な状態となる。ルーバー９６が閉じ位置にある場合、記録装置１１は、視認面６５を視認できない状態となる。すなわち、この変更例における記録装置１１は、カバーとして機能するブラインド９５によって、視認面６５を介して液体を視認可能な第１状態と、第１状態よりも液体の視認性が低い第２状態とに切替可能とされている。すなわち、ブラインド９５は、記録装置１１の状態を第１状態と第２状態とに切替可能な切替機構として機能する。
【００６６】
・上記第２実施形態において、開閉板９１が開閉する際の支点は、その上端となる端部でもよいし、幅方向の第１端側又は第２端側となる端部でもよい。
・上記第２実施形態において、記録装置１１が照射部８０を備える場合、カバーとして機能する開閉板９１の開閉動作に連動して発光素子８２が点灯及び消灯する構成としてもよい。
【００６７】
・上記第１実施形態において、光源の一例である発光素子８２は、液体収容部６０に対してその背面側から光を照射するように配置されていてもよい。また、発光素子８２は、液体を貯留する貯留部６１内、すなわち貯留室６３に配置されてもよい。
【００６８】
・上記第１実施形態において、発光素子８２は、記録装置１１の電源がオフであっても点灯可能となるように構成されていてもよい。
・上記各実施形態において、記録装置１１は、液体収容部６０に収容される液体の量を検出可能なセンサーを備えてもよい。例えば、センサーによって検出される液体の量が、記録装置１１の動作を統括的に制御する制御部に予め設定された設定量を下回った場合に、記録装置１１が第１状態となるように構成されてもよい。この変更例によれば、上記各実施形態の効果に加えて以下の効果を得ることができる。
【００６９】
（７）例えば、液体収容部６０に収容される液体の量が僅少となっている場合に、液体収容部６０に収容される液体の残量を視認できるように第１状態に切り替わるため、ユーザーに液体の補充を促すことができる。
【００７０】
・上記各実施形態において、記録装置１１は、媒体に記録動作を実行する場合に第１状態となるよう構成されてもよい。なお、記録動作とは、例えば、媒体を搬送する動作、記録部５０のクリーニング動作、パソコンなどの外部端末から送信された印刷ジョブを処理する動作等が含まれる。この変更例によれば、上記各実施形態の効果に加えて以下の効果を得ることができる。
【００７１】
（８）記録装置１１が記録動作を実行する場合において液体収容部６０に収容される液体の残量を視認可能となるため、デザイン性を向上できる。
・上記各実施形態において、記録装置１１は、ケース７１の前面７３に開口する露出孔７４に調光ガラスが嵌め込まれている構成としてもよい。調光ガラスは、電圧が印加される場合に透視状態になり、電圧が印加されない場合に不透視状態となる。すなわち、記録装置１１は、調光ガラスを備えることによって、第１状態と第２状態とに切替可能となる。この変更例によれば、光源の一例である発光素子８２、カバーの一例である開閉板９１を備えずとも、第１状態と第２状態とに切替可能となる。
【００７２】
・上記各実施形態において、記録装置１１は、インク以外の他の流体（液体や、機能材料の粒子が液体に分散又は混合されてなる液状体、ゲルのような流状体を含む）を噴射したり吐出したりして記録を行う流体噴射装置であってもよい。例えば、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液状体を噴射して記録を行う液状体噴射装置であってもよい。また、ゲル（例えば物理ゲル）などの流状体を噴射する流状体噴射装置であってもよい。そして、これらのうちいずれか一種の流体噴射装置に本発明を適用することができる。なお、本明細書において「流体」とは、気体のみからなる流体を含まない概念であり、流体には、例えば液体（無機溶剤、有機溶剤、溶液、液状樹脂、液状金属（金属融液）等を含む）、液状体、流状体などが含まれる。
【符号の説明】
【００７３】
１１…記録装置、１２…筐体、２０…読取部、３０…操作パネル（操作部）、４０…媒体カセット、５０…記録部、６０…液体収容部、６５…視認面、６６…目盛、７０…収容部、７１…ケース、７２…蓋、７３…前面、７４…露出孔、８２…切替機構としての発光素子（光源）、９１…切替機構としての開閉板（カバー）９２…切替機構としてのスライド板（カバー）、９３…切替機構としてのシート（カバー）、９４…レバー（操作部）、９５…切替機構としてのブラインド（カバー）。
【図１】
2019005963.tif 000003
【図２】
2019005963.tif 000004
【図３】
2019005963.tif 000005
【図４】
2019005963.tif 000006
【図５】
2019005963.tif 000007
【図６】
2019005963.tif 000008
【図７】
2019005963.tif 000009
【図８】
2019005963.tif 000010
【図９】
2019005963.tif 000011
【図１０】
2019005963.tif 000012
【図１１】
2019005963.tif 000013
【図１２】
2019005963.tif 000014
【図１３】
2019005963.tif 000015